【手続補正書】
【提出日】平成20年8月28日(2008.8.28)
【手続補正１】
【補正対象書類名】特許請求の範囲
【補正対象項目名】全文
【補正方法】変更
【補正の内容】
【特許請求の範囲】
【請求項１】
複数のクライアントコンピュータのうちの少なくとも１つのクライアントコンピュータから受信したデータを、信号が前記複数のクライアントコンピュータによって受信できるように放送用信号を提供する第１信号で、統合する少なくとも１つのホストサーバ、および
前記放送信号を受信し前記統合データを該放送信号から分離する、前記複数のクライアントコンピュータのうちの少なくとも１つのクライアントコンピュータ、
を含んでなることを特徴とする遠隔通信装置。
【請求項２】
各クライアントコンピュータは、前記統合されたデータを前記放送信号から分離するためのチューナ・カードを含んでいる請求項１に記載の遠隔通信装置。
【請求項３】
各クライアントコンピュータは前記第１信号で統合したデータを提示し、前記ホストサーバに送られるべきデータをユーザに供給するよう促すユーザインターフェースを含む請求項１に記載の遠隔通信装置。
【請求項４】
ホストサーバにより受信されたクライアントコンピュータからのデータの少なくとも一部分が他のクライアントコンピュータへの宛先のものである請求項３に記載の遠隔通信装置。
【請求項５】
前記クライアントコンピュータは前記統合データを表現する情報信号を提示する表示装置を含んでなる請求項１に記載の遠隔通信装置。
【請求項６】
ホスト設備と遠隔クライアントとの間の遠隔通信装置において、
オーディオビジュアルデータストリームを前記ホストで発信されたかまたは該ホストに電子的に接続された他のコンピュータから受信されたデータに結合し、あるいは前記ホストで発信され、かつ前記ホストに電子的に接続された他のコンピュータから受信されたデータに結合し、前記結合された信号を放送信号を介して分配のために送られるようにするホスト設備、および
前記放送された信号からデータを受信し、該ホストにデータを間欠的に送信するクライアントであって、該クライアントが送信されたデータの少なくとも一部分を放送信号に結合するためのものであるとして特定できるように、送信されたデータが前記ホストに提供されるクライアント、
を含んでなることを特徴とする装置。
【請求項７】
前記オーディオビジュアルデータストリームが命令提示を表現する請求項６に記載の装置。
【請求項８】
前記ホストにより放送された信号に含まれるデータは前記クライアントにより依頼されたダウンロードの少なくとも一部分を含む請求項６に記載の装置。
【請求項９】
前記クライアントコンピュータの少なくとも一つにより受信されたデータは実時間にチャット形式で表現される請求項６に記載の装置。
【請求項１０】
前記少なくとも一つのクライアントにより受信されたデータはテキストメッセージとして提示される請求項６に記載の装置。
【請求項１１】
前記少なくとも一つのクライアントにより受信されたデータは手書きとして図形的に表現される請求項６に記載の装置。
【請求項１２】
前記少なくとも一つのクライアントにより受信されたデータはオーディオおよび／またはビデオとして表現される請求項６に記載の装置。
【請求項１３】
前記クライアントにより受信された放送信号内に含まれるビデオおよびデータは前記少なくとも１つのクライアントの同一表示装置上に同時に表示される請求項６に記載の装置。
【請求項１４】
前記少なくとも一つのクライアントコンピュータは前記ホストにデータを送信する間に前記放送されたデータを同時に受信する請求項６に記載の装置。
【請求項１５】
クライアントは、前記放送信号を介して送られたデータにより実時間に他のクライアント上で表示されたデータを制御する能力を有する請求項６に記載の装置。
【請求項１６】
前記ホストにより放送され前記結合された信号はｅメイルを配信する手段である請求項６に記載の装置。
【請求項１７】
前記クライアントにより受信された前記データは前記クライアントの表示装置上で図形的表現を生成する請求項６に記載の装置。
【請求項１８】
前記クライアントデバイスの各々が、ユーザにより入力された情報を獲得するよう該ユーザとインターフェースする際動作するとともに前記ホストにデータを送信する際動作するモジュールを実行するプロセッサを含み、
各デバイスが前記モジュールにより獲得されたユーザ入力に応じたデータを送信するよう対応するモジュールを用いる、複数のクライアントデバイスの内の少なくとも一つから前記ホストでデータを受信する段階、および
放送信号として前記複数のクライアントデバイスに送信するよう設けられた信号に前記受信したデータの少なくとも一部分を前記ホストで提供する段階、
を含んでなるホストと複数のクライアントデバイス間の遠隔通信を提供する方法を実行するコンピュータ実行可能な命令を含む少なくとも一つのコンピュータ可読媒体を含んでなる装置。
【請求項１９】
前記クライアントデバイスの各々が、ユーザにより入力された情報を獲得するよう該ユーザとインターフェースする際動作するとともに前記ホストにデータを送信する際動作するモジュールを実行するプロセッサを含み、
各デバイスが前記モジュールにより獲得されたユーザ入力に応じたデータを送信するよう対応するモジュールを用いる、複数のクライアントデバイスの内の少なくとも一つから前記ホストでデータを受信する段階、および
放送信号として前記複数のクライアントデバイスに送信するよう設けられた信号に前記受信したデータの少なくとも一部分を前記ホストで提供する段階、
を含んでなるホストと複数のクライアントデバイス間の遠隔通信を提供する方法を実行する少なくとも一つのプロセッサを含んでなる装置。
【請求項２０】
複数のクライアントデバイスと遠隔通信するホスト装置であって、
前記クライアントデバイスの各々はユーザにより入力された情報を獲得するため前記ユーザとインターフェースする際および前記ユーザにより入力された情報を示すデータを前記ホスト装置に送信する際動作するモジュールを実行するプロセッサを有し、
前記ホスト装置は、前記ユーザにより入力された情報を表すデータを前記複数のクライアントデバイスのうちの少なくとも一つから受信し、前記受信したデータの少なくとも一部分を放送信号として前記複数のクライアントデバイスへ送信用に設けられた信号に供給する際動作する少なくとも一つのプロセッサを含んでなることを特徴とするホスト装置。
【請求項２１】
前記放送装置は前記ホスト装置の少なくとも一つのプロセッサを有する少なくとも一つのサーバを含む、
請求項２０に記載のホスト装置。
【請求項２２】
前記複数のクライアントデバイスのうちの少なくとも一つから受信したデータは前記放送信号の送信を受信する前記複数のクライアントデバイスのうちの特定の一以上のクライアントデバイスに選択的にアドレス付けられる、
請求項２０に記載のホスト装置。
【請求項２３】
前記複数のクライアントデバイスのうちの少なくとも一つから受信したデータは前記複数のクライアントデバイスのうちの所定の一つからのデータであり、前記受信したデータの少なくとも一部分は前記放送信号の送信を受信する前記複数のクライアントデバイスのうちの所定の一つのみに選択的にアドレス付けられる、
請求項２２に記載のホスト装置。
【請求項２４】
前記複数のクライアントデバイスのうちの少なくとも一つから受信したデータは、前記放送信号の送信を受信する前記複数のクライアントデバイスの全てに対して向けられた情報を示す、
請求項２０に記載のホスト装置。
【請求項２５】
前記信号は、
（ｉ）前記複数のクライアントデバイスの全てに向けられた情報を規定する第１データと、
（ii）前記複数のクライアントデバイスの中から選択された一以上のクライアントデバイスに特定の情報を規定する第２データとの片方または両方を含む、
請求項２０に記載のホスト装置。
【請求項２６】
前記ホスト装置は、前記ホスト装置と前記複数のクライアントデバイスとの間の掲示板装置として機能する、
請求項２０に記載のホスト装置。
【請求項２７】
前記ホスト装置は、遠隔教育システムとして機能する、
請求項２０に記載のホスト装置。
【請求項２８】
前記少なくとも一つのプロセッサは、前記信号への追加のデータを供給する際に動作し、該追加のデータは前記クライアントデバイス以外のソースから獲得される、
請求項２０に記載のホスト装置。
【請求項２９】
前記追加のデータは指導者による教育上の表現を表す、
請求項２８に記載のホスト装置。
【請求項３０】
前記追加のデータは前記複数のクライアントデバイスのうちの少なくとも一つに対する制御命令を表す、
請求項２８に記載のホスト装置。
【請求項３１】
前記受信したデータの少なくとも一部分は、前記複数のクライアントデバイス以外の少なくとも一つのクライアントデバイスとそれぞれ関連する少なくとも一つの表示装置上で表示される情報を制御する、
請求項２０に記載のホスト装置。
【請求項３２】
前記ホスト装置は、公共ネットワーク、私的ネットワーク、または公共および私的のネットワークの両方を介して、前記複数のクライアントデバイスのうちの一つからデータを受信する、
請求項２０に記載のホスト装置。
【請求項３３】
前記放送信号は、ネットワークを介して前記複数のクライアントデバイスのうちの所定の一つから前記受信したデータに対する帯域より広い帯域を有する、
請求項３１に記載のホスト装置。
【請求項３４】
前記放送信号はマルチポイント信号への高帯域ポイントである、
請求項２０に記載のホスト装置。
【請求項３５】
前記信号は前記受信したデータの少なくとも一部分が結合したビデオ信号を含む、
請求項２０に記載のホスト装置。
【請求項３６】
前記複数のクライアントデバイスの各々が前記放送信号の送信を受信し、該信号からそのために向けられるデータのみを抽出する、
請求項２０に記載のホスト装置。
【請求項３７】
ユーザにより入力される情報を獲得する際に動作し、かつ放送信号として前記ホスト装置により送信された情報を表示する際に動作するインターフェースを提供する段階、および
前記ユーザインターフェースを介して前記ユーザにより入力された情報を表す結合情報をネットワークを介して前記ホスト装置に送信する段階であって、前記送信された情報は、該送信された情報の少なくとも一部分が前記ホスト装置により送信された放送信号と結合するために特定付けることができるように、前記ホスト装置に設けられる段階、
を含んでなる、デバイスのホスト装置との遠隔通信を促進するプロセッサを機能させる方法を実行するコンピュータ実行可能な命令を有する少なくとも一つのコンピュータ可読媒体を備えたデバイス。
【請求項３８】
ユーザにより入力される情報を獲得する際に動作し、かつ放送信号として前記ホスト装置により送信された情報を表示する際に動作するインターフェースを提供する段階、および
前記ユーザインターフェースを介して前記ユーザにより入力された情報を表す結合情報をネットワークを介して前記ホスト装置に送信する段階であって、前記送信された情報は、該送信された情報の少なくとも一部分が前記ホスト装置により送信された放送信号と結合するために特定付けることができるように、前記ホスト装置に設けられる段階、
を含んでなる、デバイスのホスト装置との遠隔通信を促進するプロセッサを機能させる方法を実行するプロセッサを備えるデバイス。
【請求項３９】
遠隔通信する方法対話形式の装置であって、
放送信号として送信用に設けられた結合信号を発生するため分離データ信号で画像と音声を含むことのできる信号を統合するホスト設備、および
各遠隔コンピュータが前記放送信号を受信可能であり、ネットワークを介して選択的に前記ホスト装置にデータを送るネットワークインターフェースデバイスを含む複数の遠隔コンピュータ、を含んでなり、
前記ホスト設備は、前記ネットワークを介して、前記複数のコンピュータの少なくとも一つから動作を規定するデータを受信し、前記放送信号として送信用に設けられた前記結合信号における分離データとして前記受信したデータの少なくとも一部分を含む、
ことを特徴とする対話形式の装置。
【請求項４０】
前記ホスト装置は、該ホスト装置と複数のクライアントデバイスとの間のオンラインサービスを遂行する、
請求項２６に記載のホスト装置。
【請求項４１】
アドレス付けはクライアントコンピュータからホストサーバにより受信されたデータに提供される情報により特定される、
請求項４に記載の装置。
【請求項４２】
前記クライアントが前記送信データの少なくとも一部分を前記放送信号を受信することのできる特定の一以上のクライアントに選択的にアドレス付けすることのできるように、前記送信データは前記ホストに供給される、
請求項６に記載の装置。
【請求項４３】
前記アドレス付けは、前記複数のクライアントデバイスのうちの少なくとも一つに対応するクライアントデバイスから前記ホストにより受信された対応データに含まれる情報にしたがって特定される、
請求項２２に記載のホスト装置。
【請求項４４】
ホストと複数のクライアント設備との間でオンライン掲示板を走行する方法であって、
前記複数のクライアント設備に、該複数のクライアント設備の全てを意図して情報を規定する第１データと該複数のクライアント設備の選択した一つに特定の情報を規定する第２データとを含むテレビジョン互換信号を連続的に送信し、前記クライント設備における動作を規定する第３データを前記複数のクライアント設備から間欠的に受信し、
前記受信した第３データの一部を前記複数のクライアント設備への送信用の前記第１データおよび前記第２データの一つとして前記テレビジョン互換信号に統合する、
ことを特徴とする方法。
【請求項４５】
ホストと複数のクライアント設備との間の遠隔通信を提供する方法であって、
前記複数のクライアント設備に該複数のクライアント設備の全てを意図して情報を規定する第１データと該複数のクライアント設備の選択した一つに特定の情報を規定する
第２データとを含み得る信号を放送し、
前記クラインと設備における動作を規定するデータを前記複数のクライアント設備のうちの少なくとも一つから間欠的に受信し、
前記受信したデータの少なくとも一部を前記複数のクライアント設備への送信用の第１または第２データの一つとして前記信号に選択的に統合する、
ことを特徴とする方法。
【請求項４６】
ホストと複数のクライアントデバイスとの間の遠隔通信を提供する方法であって、
前記クライアントデバイスの各々が、ユーザにより入力された情報を獲得するよう該ユーザとインターフェースする際に動作するとともに前記ホストにデータを送信する際動作するモジュールを実行するプロセッサを含み、
前記方法は、
前記モジュールにより獲得されたユーザ入力に応じたデータを送信するため、対応する前記モジュールを使用する前記各複数のクライアントデバイスの内の少なくとも一つから前記ホストでデータを受信する段階、および
放送信号として前記複数のクライアントデバイスへの送信用に設けられた信号に前記受信したデータの少なくとも一部分を前記ホストで提供する段階、
備えることを特徴とする方法。
【請求項４７】
前記ユーザ入力は前記ユーザに独立して開始可能であり、前記ホストから受信した信号に応答しない、
請求項４６に記載の方法。
【請求項４８】
前記放送信号は、テレビジョン互換信号である、
請求項４６に記載の方法。
【請求項４９】
前記送信用に設けられた信号に提供された前記受信されたデータの少なくとも一部分は、特定の一つまたはそれ以上の前記複数のクライアントデバイスにアドレス付けられた、
請求項４６に記載の方法。
【請求項５０】
前記複数のクライアントデバイスの少なくとも一つから受信したデータは前記放送信号の送信を受信した前記複数のクライアントデバイスの特定の一つまたはそれ以上に選択的にアドレス付けられた、
請求項４９に記載の方法。
【請求項５１】
前記複数のクライアントデバイスの少なくとも一つから受信したデータは、該複数のクライアントデバイスの所定の一つから与えられ、該受信したデータの少なくとも一部分は前記放送信号の送信を受信した該複数のクライアントデバイスの前記所定の一つにのみ選択的にアドレス付けられる、
請求項４９に記載の方法。
【請求項５２】
前記アドレス付けは、前記複数のクライアントデバイスの対応する少なくとも一つから前記ホストにより受信された対応するデータに含まれる情報により特定される、
請求項４９に記載の方法。
【請求項５３】
前記複数のクライアントデバイスの少なくとも一つから受信したデータは、前記放送信号の送信を受信する該複数のクライアントデバイスの全てを意図した情報を示す、
請求項４６に記載の方法。
【請求項５４】
前記送信用に設けられた信号は、
（ｉ）前記複数のクライアントデバイスの全てを意図した情報を規定する第１データ
および
（ii）前記複数のクライアントデバイスの一つまたはそれ以上のクライアントデバイスに特定の情報内に規定された第２データ
の一方または両方を含む、
請求項４６に記載の方法。
【請求項５５】
前記方法は、前記ホストと前記複数のクライアントデバイスとの間の掲示板システムとして実行される、
請求項４６に記載の方法。
【請求項５６】
前記方法は、前記ホストと前記複数のクライアントデバイスとの間のオンライン通信サービスとして実行される、
請求項５５に記載の方法。
【請求項５７】
前記方法は、遠隔教育システムとして実行される、
請求項４６に記載の方法。
【請求項５８】
前記ホストの動作により、前記信号が受信したデータの少なくとも一部分を含むように追加のデータを前記信号に供給し、該追加のデータは前記複数のクライアントデバイス以外のソースから獲得される、
請求項４６に記載の方法。
【請求項５９】
前記追加のデータは、インストラクタによる教育的提示を表す、
請求項５８に記載の方法。
【請求項６０】
前記追加のデータは、前記複数のクライアントデバイスの少なくとも一つに対する制御命令を表す、
請求項５８に記載の方法。
【請求項６１】
前記追加のデータは、前記ホストによりアクセスされた記録された情報である、
請求項５８に記載の方法。
【請求項６２】
前記受信したデータの少なくとも一部分は、他の複数のクライアントデバイスの少なくとも一つにそれぞれが関連する少なくとも一つの表示デバイスに表示された情報を制御する、
請求項４６に記載の方法。
【請求項６３】
前記ホストは、公共ネットワークおよび私的ネットワークの一方または両方を介して前記複数のクライアントデバイスからデータを受信する、
請求項４６に記載の方法。
【請求項６４】
前記信号は、大気を介した放送により送信するように設けられた、
請求項４６に記載の方法。
【請求項６５】
前記信号は、ケーブルネットワークを介して放送により送信されるように設けられた、
請求項６４に記載の方法。
【請求項６６】
前記信号は、広帯域放送信号としての送信用に設けられ、前記複数のクライアントデバイスの少なくとも一つからのデータは該広帯域放送信号より低い帯域を有するネットワークを介して間欠的に受信される、
請求項４６に記載の方法。
【請求項６７】
前記信号は、前記複数のクライアントデバイスの一つまたはそれ以上において表示用のビデオ信号を含む、
請求項４６に記載の方法。
【請求項６８】
前記信号は、前記受信したデータの少なくとも一部分が統合された垂直帰線区間を有するビデオ信号を含むテレビジョン互換信号である、
請求項４６に記載の方法。
【請求項６９】
前記複数のクライアントデバイスの各々は、送信を受信し、該信号から前記特定のクライアントデバイスを意図した何等かのデータのみおよびそのために意図した何等かのデータを抽出する、
請求項４６に記載の方法。
【請求項７０】
前記放送信号は、マルチポイント信号に対し広帯域ポイントである、
請求項４６に記載の方法。
【請求項７１】
請求項４６に記載の方法を実行する有形のコンピュータ実行可能な命令を有する、
コンピュータ可読媒体。
【請求項７２】
請求項４６に記載の方法を実行する少なくとも一つのプロセッサを備えたシステム。